(57)【要約】【課題】ケーブル未接続時には信号の送出を停止することにより、コネクタからの不要な電磁波の放射を低減可能な装置を提供することを目的とする。【解決手段】送信機１０２から信号を出力する配線が接続され、外部から上記信号を受信するためのケーブル側コネクタ２０２が接続される装置側コネクタ１０７と、上記装置側コネクタ１０７と上記ケーブル側コネクタ２０２とが接続されているかどうかを検出し、検出された結果、上記装置側コネクタ１０７と上記ケーブル側コネクタ２０２とが接続されていない場合に、上記送信機１０２に対し、上記信号の出力を遮断することを促す接続検出装置１０３とを備えたことを特徴とする。【選択図】        図１
2004178049.tif 000002
【特許請求の範囲】
【請求項１】
送信機から信号を出力する配線が接続され、外部から上記信号を受信するためのケーブル側コネクタが接続される装置側コネクタと、
上記装置側コネクタと上記ケーブル側コネクタとが接続されているかどうかを検出し、検出された結果、上記装置側コネクタと上記ケーブル側コネクタとが接続されていない場合に、上記送信機に対し、上記信号の出力を遮断することを促す検出部と
を備えたことを特徴とするケーブル接続検出装置。
【請求項２】
上記検出部は、上記装置側コネクタと配線接続され、配線接続された上記装置側コネクタに電圧を印加し、
上記ケーブル側コネクタが、上記装置側コネクタに電圧が印加された配線と接続し、さらに、上記ケーブル側コネクタが上記装置側コネクタに導通させるためのジャンパ回路を有し、上記ジャンパ回路が、上記装置側コネクタと配線接続される場合に、
上記装置側コネクタは、上記ジャンパ回路により導通させられた配線を地絡させ、
上記検出部は、印加された電圧が上記ジャンパ回路を介して地絡し、電圧降下した場合に、上記装置側コネクタと上記ケーブル側コネクタとが接続されていると検出し、電圧降下しない場合に上記装置側コネクタと上記ケーブル側コネクタとが接続されていないと検出することを特徴とする請求項１記載のケーブル接続検出装置。
【請求項３】
上記ケーブル接続検出装置は、上記送信機を有する所定の通信装置に設置され、
上記検出部は、上記装置側コネクタと上記ケーブル側コネクタとが接続されていない場合に、上記通信装置に対し、上記送信機から出力される上記信号の出力を遮断することを促すことを特徴とする請求項１記載のケーブル接続検出装置。
【請求項４】
上記検出部は、上記装置側コネクタと配線接続され、配線接続された上記装置側コネクタに交番信号を出力し、
上記ケーブル側コネクタは、上記検出部と上記装置側コネクタとが接続された配線と接続し、さらに上記装置側コネクタに導通させるためのジャンパ回路を有し、
上記ジャンパ回路は、上記装置側コネクタを介して上記検出部と配線接続され、
上記検出部は、出力された交番信号が上記ジャンパ回路を介して返送されてきた場合に、上記装置側コネクタと上記ケーブル側コネクタとが接続されていると検出し、出力された交番信号が上記ジャンパ回路を介して返送されてこない場合に上記装置側コネクタと上記ケーブル側コネクタとが接続されていないと検出することを特徴とする請求項１記載のケーブル接続検出装置。
【請求項５】
信号を通信する通信部と、
上記通信部から信号を通信する配線が接続され、外部から上記信号を通信するためのケーブル側コネクタが接続する装置側コネクタと、
上記装置側コネクタと上記ケーブル側コネクタとが接続されているかどうかを検出し、検出された結果、上記装置側コネクタと上記ケーブル側コネクタとが接続されていない場合に、上記通信部に対し、動作を停止することを促す検出部とを備えたことを特徴とする通信装置。
【請求項６】
第１の信号を生成する信号生成部と、
上記信号生成部により生成された第１の信号を出力する送信部と、
上記送信部から第１の信号を出力する配線が接続され、外部から上記第１の信号を受信するためのケーブル側コネクタが接続可能であり、上記ケーブル側コネクタから第２の信号を受信する配線が接続された装置側コネクタと、
上記装置側コネクタから上記第２の信号を受信する受信部と、
上記受信部により受信された上記第２の信号を処理する処理部と、
上記装置側コネクタと上記ケーブル側コネクタとが接続されているかどうかを検出し、検出された結果、上記装置側コネクタと上記ケーブル側コネクタとが接続されていない場合に、上記信号生成部と送信部と受信部と処理部とに対し、動作を停止することを促す検出部と
を備えたことを特徴とする通信装置。
【請求項７】
送信機から信号を出力する配線が接続され、外部から上記信号を受信するためのケーブル側コネクタが接続される装置側コネクタと上記ケーブル側コネクタとが接続されているかどうかを検出し、検出された結果、上記装置側コネクタと上記ケーブル側コネクタとが接続されていない場合に、上記送信機に対し、上記信号の出力を遮断することを促すことを特徴とするケーブル接続検出方法。
【請求項８】
送信機から信号を出力する配線が接続され、外部から上記信号を受信するためのケーブル側コネクタが接続される装置側コネクタにおいて、
送信機から信号を出力する配線が接続される第１のピンと、
上記ケーブル側コネクタを深く接続しないと導通しないように上記第１のピンより短く構成され、自己と上記ケーブル側コネクタとが接続されているかどうかを検出するための第２のピンと
を備えたことを特徴とするコネクタ。
【発明の詳細な説明】
【０００１】
【発明の属する技術分野】
この発明は、ケーブルによって信号の伝送を行う装置において、コネクタからの不要な電磁波の放射を低減する方法に関するものである。
【０００２】
【従来の技術】
ケーブルによって信号を伝送する装置において、送信側コネクタにケーブルを接続しない場合ピンがむき出しとなり、不要な電磁波の放射が発生し、ＥＭＩ上問題となる。従来は、電磁波の放射が問題ないレベルであれば、特に対策せず、また問題になる場合は、コネクタにシールドつきのカバーを取りつけていた。
【０００３】
また、予備回線用受信部を構成する各部のうち、待機中には動作不要な部分の動作を停止させるようにした伝送装置のアクティブ制御方式に関し、消費電力の低減を図るとともに、ノイズの発生を抑制することを目的として、以下のような手段が公知になっている。
予備回線用受信部の監視手段が、回線状態を監視して回線が正常か、異常かを出力する。アクティブ制御手段は、監視手段の出力に基づき、予備回線用受信部の一部を動作または非動作状態にする。すなわち、回線が正常ならば、予備回線用受信部の一部を非動作にして、消費電力を減少させるとともに、非動作状態に伴う活性部分の減少によりノイズの発生を抑制する。（特許文献１参照）
【０００４】
また、ＬＡＮ等による端末装置と上位装置との通信を行う際に、端末装置への伝送ケーブルあるいは外部電源の未接続による無駄な通信制御を防止することを目的として、以下のような手段が公知になっている。
ローカルエリアネットワーク等の伝送網に接続され、前記伝送網に接続される上位装置との通信を行う端末装置において、端末装置が伝送路もしくは外部電源に接続されているか否かを判別する判別手段を備え、判別手段により端末装置が伝送路あるいは外部電源に接続されていると判別された場合に、上位装置との通信制御を開始する。（特許文献２参照）
【０００５】
【特許文献１】
特開平５−３３６０６３号公報
【特許文献２】
特開平７−５０６８４号公報
【０００６】
【発明が解決しようとする課題】
近年装置の小型化、大容量化が進むにつれ、信号は高速化しており、それによるＥＭＩの問題も大きくなっているが、逆にＥＭＩ低下の要求は厳しくなっている。
従来通り何も対策を行わない場合、今後はＥＭＩの要求を満たせなくなる可能性が高くなる。またシールドつきカバーを取り付けると、手間とコストがかかる、等の問題があった。
特許文献１の技術では、ケーブルの接続を検出できない。また、コネクタ部からの電磁波の放射を低減できない。また、送信信号を停止できない。
特許文献２の技術では、ＥＭＩ対策、消費電力低減を考慮していない。また、ケーブルの物理的検出ができない。
【０００７】
この発明は、ケーブル未接続時には信号の送出を停止することにより、コネクタからの不要な電磁波の放射を低減可能な装置を提供することを目的とする。
【０００８】
【課題を解決するための手段】
この発明に係るケーブル接続検出装置は、送信機から信号を出力する配線が接続され、外部から上記信号を受信するためのケーブル側コネクタが接続される装置側コネクタと、
上記装置側コネクタと上記ケーブル側コネクタとが接続されているかどうかを検出し、検出された結果、上記装置側コネクタと上記ケーブル側コネクタとが接続されていない場合に、上記送信機に対し、上記信号の出力を遮断することを促す検出部と
を備えたことを特徴とする。
【０００９】
【発明の実施の形態】
実施の形態１．
図１は、実施の形態１における構成を示す図である。
カード１０１（通信装置の一例である）には、送信機１０２（通信装置の一例である）、コネクタ１０７（装置側コネクタの一例である）、またケーブル接続を検出する接続検出装置１０３（検出部の一例である）、プルアップ抵抗１０４が取りつけられている。コネクタ１０７に接続されるケーブル２０１のコネクタ２０２（ケーブル側コネクタの一例である）には、接続検出用短絡ピンが２ピンあり、このピン間は短絡している。ケーブル接続検出装置は、接続検出装置１０３、コネクタ１０７を備えている。カード１０１とは、例えば、通信装置回路が形成されたマザーボード、基板等である。
【００１０】
送信機１０２は、信号を通信する。
コネクタ１０７は、送信機１０２から信号を出力する配線が接続され、外部から上記信号を受信するためのコネクタ２０２が接続される。
接続検出装置１０３は、上記コネクタ１０７と上記コネクタ２０２とが接続されているかどうかを検出し、検出された結果、上記コネクタ１０７と上記コネクタ２０２とが接続されていない場合に、上記送信機１０２に対し、上記信号の出力を遮断することを促す。
【００１１】
接続検出装置１０３は、上記コネクタ１０７と配線接続され、配線接続された上記コネクタ１０７に電圧を印加し、
上記コネクタ２０２が、上記コネクタ１０７に電圧が印加された配線と接続し、さらに、上記コネクタ２０２が上記コネクタ１０７に導通させるためのジャンパ回路を有し、上記ジャンパ回路が、上記コネクタ１０７と配線接続される場合に、
上記コネクタ１０７は、上記ジャンパ回路により導通させられた配線を地絡させ、
上記接続検出装置１０３は、印加された電圧が上記ジャンパ回路を介して地絡し、電圧降下した場合に、上記コネクタ１０７と上記コネクタ２０２とが接続されていると検出し、電圧降下しない場合に上記コネクタ１０７と上記コネクタ２０２とが接続されていないと検出する。
【００１２】
接続検出装置１０３は、上記コネクタ１０７と上記コネクタ２０２とが接続されているかどうかを検出し、検出された結果、上記コネクタ１０７と上記コネクタ２０２とが接続されていない場合に、上記送信機１０２に対し、動作を停止することを促す。
【００１３】
具体的には、コネクタ１０７と２０２が接続している場合、接続検出用短絡ピンによって、接続検出装置１０３は“Ｌ”を検出し、送信機１０２への出力停止信号を解除する。停止信号が解除されると、送信機１０２は送信信号を送出する。送信信号はコネクタ１０７、２０２、ケーブル２０１を介して別カードへと伝送される。
コネクタ２０２がコネクタ１０７から抜去された場合、接続検出装置１０３は“Ｈ”を検出し、送信機１０２への出力停止信号を送出する。停止信号を受信すると、送信機１０２は送信信号の送出を停止する。
信号を停止することによって、コネクタ１０７のピンからの不要な電磁波の放出を低減することが出来る。
【００１４】
以上のように、本実施の形態１における装置は、ケーブルによって信号の伝送を行う装置において、信号送出側にケーブルの接続検出装置を設けることで、コネクタにケーブルが接続されない場合、信号の送出を停止し、コネクタからの不要な電磁波の放射を低減することが可能な装置である。
言いかえると、ケーブルによって信号を伝送する装置において、信号送出側にケーブル接続検出装置を設け、ケーブルの未接続を検出した場合、信号の送信を停止し、コネクタからの不要な電磁波の放射を低減することを特徴とする。
【００１５】
実施の形態２．
図２は、実施の形態２における構成を示す図である。
図２において、カード１０１（通信装置の一例である）には、通信部１０、コネクタ１０７（装置側コネクタの一例である）、ケーブル接続を検出する接続検出装置１０３（検出部の一例である）、プルアップ抵抗１０４、バッファ１０６が取りつけられている。コネクタ１０７に接続されるケーブル２０１のコネクタ２０２（ケーブル側コネクタの一例である）には、２つの接続検出用短絡ピン２０３が両側にあり、このそれぞれの側の２ピン間は短絡している。ケーブル接続検出装置は、接続検出装置１０３、コネクタ１０７を備えている。通信部１０は、送信機１０２、送信機制御装置１０８を有する。
通信部１０は、信号を通信する。通信部１０には、特に、信号を送信する送信機１０２を記載しているがこれに限るものではない。通信部１０には、別に、信号を受信する受信部があっても構わない。
コネクタ１０７は、上記通信部１０における送信機１０２から信号を通信する配線が接続され、外部から上記信号を通信するためのコネクタ２０２が接続する。
接続検出装置１０３（検出部の一例である）は、上記コネクタ１０７と配線接続され、配線接続された上記コネクタ２０２に交番信号を出力する。
上記コネクタ２０２は、上記接続検出装置１０３と上記コネクタ１０７とが接続された配線と接続し、さらに上記コネクタ１０７に導通させるためのジャンパ回路を有している。
上記ジャンパ回路は、上記コネクタ１０７を介して上記接続検出装置１０３と配線接続される。
上記接続検出装置１０３は、出力された交番信号が上記ジャンパ回路を介して返送されてきた場合に、上記コネクタ１０７と上記コネクタ２０２とが接続されていると検出し、出力された交番信号が上記ジャンパ回路を介して返送されてこない場合に上記コネクタ１０７と上記コネクタ２０２とが接続されていないと検出する。接続検出装置１０３は、検出された結果、上記コネクタ１０７と上記コネクタ２０２とが接続されていない場合に、送信機制御装置１０８に対し上記送信機１０２の動作を停止することを促す。言いかえると、上記接続検出装置１０３は、上記コネクタ１０７と上記コネクタ２０２とが接続されていない場合に、上記送信機制御装置１０８に対し、上記送信機１０２から出力される上記信号の出力を遮断することを促す。さらに言いかえると、上記接続検出装置１０３は、上記コネクタ１０７と上記コネクタ２０２とが接続されていない場合に、上記通信部１０に対し、上記送信機１０２から出力される上記信号の出力を遮断することを促す。
送信機制御装置１０８は、上記接続検出装置１０３より上記コネクタ１０７と上記コネクタ２０２とが接続されていないと検出された場合に、送信機１０２に出力停止信号を出力する。
【００１６】
接続検出装置１０３は接続検出用短絡ピンに周波数の十分低い交番信号を出力する。コネクタ１０７と２０２が接続している場合、バッファ１０６を介して、接続検出装置１０３では交番信号が検出される。接続検出装置１０３は交番信号を検出することにより、ケーブルの接続を確認する。交番信号のため、図１の構成に比して誤検出する可能性が低い。実施の形態２の構成は、図１の構成に比べ、不要電磁波の放射低減を確実に行う構成である。
【００１７】
また、図２において、コネクタ１０７は、送信機から信号を出力する配線が接続される第１のピンと、上記コネクタ２０２を深く接続しないと導通しないように上記第１のピンより短く構成され、自己と上記コネクタ２０２とが接続されているかどうかを検出するための第２のピンとを備えている。
すなわち、接続検出用短絡ピン２０３に接続するコネクタ１０７のピン（第２のピンの一例である）は、他のピン（第１のピンの一例である）に比べ短くなっている。これにより、コネクタが深く挿入され、シールド１０９，２０４に覆われた状態になってはじめて、接続を検出する。また接続検出用短絡ピン２０３は上下に設けられている。これにより、コネクタの傾いて挿入した場合は接続を検出しない。このような構成にすることで、より確実な接続検出、電磁波の放射低減が可能となる。
【００１８】
実施の形態３．
図３は、実施の形態３における構成を示す図である。
図３において、カード１０１（通信装置の一例である）には、送信機１０２（送信部、通信装置の一例である）、コネクタ１０７（装置側コネクタの一例である）、ケーブル接続を検出する接続検出装置１０３（検出部の一例である）、送信信号生成装置１１０（信号生成部、通信装置の一例である）、受信信号処理回路１１２（処理部、通信装置の一例である）、受信機１１１（受信部、通信装置の一例である）が取りつけられている。ケーブル接続検出装置は、接続検出装置１０３、コネクタ１０７を備えている。
【００１９】
送信信号生成装置１１０は、第１の信号を生成する。
送信機１０２は、上記送信信号生成装置１１０により生成された第１の信号を出力する。
コネクタ１０７は、上記送信機１０２から第１の信号を出力する配線が接続され、外部から上記第１の信号を受信するためのコネクタ２０２が接続可能であり、上記コネクタ２０２から第２の信号を受信する配線が接続されている。
受信機１１１は、上記コネクタ１０７から上記第２の信号を受信する。
受信信号処理回路１１２は、上記受信機１１１により受信された上記第２の信号を処理する。
接続検出装置１０３は、上記コネクタ１０７と上記コネクタ２０２とが接続されているかどうかを検出し、検出された結果、上記コネクタ１０７と上記コネクタ２０２とが接続されていない場合に、上記送信信号生成装置１１０と送信機１０２と受信機１１１と受信信号処理回路１１２とに対し、動作停止信号を出力し動作を停止することを促す。
すなわち、接続検出装置１０３はケーブルの未接続を検出すると、送信機１０２に出力停止信号を送出し、送信信号を停止するとともに、送信信号生成回路１１０、受信機１１１、受信信号処理回路１１２にも動作停止信号を送出し、消費電力の低減を可能とする。
本実施の形態では、ケーブルによって信号の伝送を行う装置において、コネクタにケーブルが接続されない場合、信号の送出を停止することにより、コネクタからの不要な電磁波の放射を低減することが出来る。
【００２０】
以上のように、本実施の形態における装置は、ケーブル未接続時には、ケーブルを伝送する信号に関係する回路全ての動作を停止し、消費電力の低減を計ることが可能な装置である。言いかえれば、ケーブル未接続時には、ケーブルを伝送する信号に関係する回路全ての動作を停止し、消費電力の低減を計ることを特徴とする。
【００２１】
【発明の効果】
本発明によれば、ケーブルによって信号の伝送を行う装置において、コネクタにケーブルが接続されない場合、コネクタからの不要な電磁波の放射を低減することが出来る。
【図面の簡単な説明】
【図１】実施の形態１における構成を示す図である。
【図２】実施の形態２における構成を示す図である。
【図３】実施の形態３における構成を示す図である。
【符号の説明】
１０１  カード、１０２  送信機、１０３  接続検出装置、１０４，１０５  プルアップ抵抗、１０６  バッファ、１０７  コネクタ、１０８  送信機制御装置、１０９  シールド、２０１  ケーブル、２０２  コネクタ、２０３  接続検出用短絡ピン、２０４  シールド。
【図１】
2004178049.tif 000003
【図２】
2004178049.tif 000004
【図３】
2004178049.tif 000005